(57)【特許請求の範囲】
【請求項１】
踊場を介して下階側階段と上階側階段とが１８０度方向転換する、下階側階段と踊場と上階側階段とからなるコの字形の矩形の平面形状を有する折返し階段の階段スペースの踊場上方の小屋裏空間に、前記踊場を挟んだ上階の床面から連絡階段を介して出入り可能な小屋裏部屋を形成する小屋裏部屋構造であって、
前記階段スペースは、前記踊場の突当り壁の外側が屋外に面するように配置されており、
前記連絡階段を、前記踊場を挟んだ下階の床面から前記踊場に至る下階側階段の直上に設けて前記上階の床面と前記踊場の上方の天井床面とを接続し、かつ前記天井床面から張出し床面を前記踊場の突当り壁よりも外側に張り出して延設することによって、前記張出し床面を含む天井床面と屋根との間に、建物の屋根の庇の出の範囲内において前記突当り壁よりも外側に張り出している小屋裏部屋を形成することを特徴とする階段踊場上方の小屋裏部屋構造。
【請求項２】
前記張出し床面は、建物の外壁よりも外側に張り出すオーバーハング部として設けられていることを特徴とする請求項１記載の階段踊場上方の小屋裏部屋構造。
【請求項３】
前記張出し床面の下方には、前記突当り壁よりも外側に張り出して踊場物入れが設けられていることを特徴とする請求項１又は２に記載の階段踊場上方の小屋裏部屋構造。
【請求項４】
前記小屋裏部屋の上方を覆う屋根には、採光窓が設けられている請求項１〜３のいずれか１項に記載の階段踊場上方の小屋裏部屋構造。
【発明の詳細な説明】
【０００１】
【発明の属する技術分野】
本発明は、踊場上方の小屋裏部屋構造に関し、特に踊場を挟んだ上階の床面から出入り可能な小屋裏部屋を形成する小屋裏部屋構造に関する。
【０００２】
【従来の技術及び発明が解決しようとする課題】
住宅等の建物の未利用の屋内空間を有効活用することを目的として、階段スペース５９の上方の余った空間を、例えば図４（ａ），（ｂ）に示すように、上階５４の廊下や居室等の床面から直接利用できるように設けられる腰高物入れ５０（（ａ）参照）や、踊場５３の上方に設けられ上階５４の床面から連絡階段５８を介して利用する踏込み物入れ５１（（ｂ）参照）として用いる工夫がなされている。これらの物入れ５０，５１は、下階５２の床面から踊場５３を介して上階５４の床面に至る、下階側階段５５や上階側階段５６による階段スペースを昇降する住人の頭上に一定の高さを保持するため、上方限界線５７よりも上方に設置する必要がある。
【０００３】
したがって、腰高物入れ５０の場合、上方限界線５７に引っかからないように、腰に近い高さ以上に設ける必要を生じて、住人が踏込むことが困難な構成になると共に、奥行きを大きく取ることができないという課題があった。また、踏込み物入れ５１の場合、踊場５３の上方において上方限界線５７に引っかからないように設けるには、容積の狭い物入れ程度の大きさのものしか形成することができいという課題があった。
【０００４】
本発明は、上方限界線による制限を回避しつつ、踊場の上方に相当の広さの小屋裏部屋を容易に形成することのできる階段踊場上方の小屋裏部屋構造を提供することを目的とする。
【０００５】
【課題を解決するための手段】
本発明は、踊場を介して下階側階段と上階側階段とが１８０度方向転換する、下階側階段と踊場と上階側階段とからなるコの字形の矩形の平面形状を有する折返し階段の階段スペースの踊場上方の小屋裏空間に、前記踊場を挟んだ上階の床面から連絡階段を介して出入り可能な小屋裏部屋を形成する小屋裏部屋構造であって、前記階段スペースは、前記踊場の突当り壁の外側が屋外に面するように配置されており、前記連絡階段を、前記踊場を挟んだ下階の床面から前記踊場に至る下階側階段の直上に設けて前記上階の床面と前記踊場の上方の天井床面とを接続し、かつ前記天井床面から張出し床面を前記踊場の突当り壁よりも外側に張り出して延設することによって、前記張出し床面を含む天井床面と屋根との間に、建物の屋根の庇の出の範囲内において前記突当り壁よりも外側に張り出している小屋裏部屋を形成することを特徴とする階段踊場上方の小屋裏部屋構造を提供することにより、上記目的を達成したものである。
【０００６】
本発明の階段踊場上方の小屋裏部屋構造によれば、前記張出し床面は、建物の外壁よりも外側に張り出すオーバーハング部として設けられていることが好ましい（請求項２記載の発明）。
【０００８】
また、本発明の階段踊場上方の小屋裏部屋構造によれば、前記張出し床面の下方には、前記突当り壁よりも外側に張り出して踊場物入れが設けられていることが好ましい（請求項３記載の発明）
【０００９】
さらに、本発明の階段踊場上方の小屋裏部屋構造によれば、前記小屋裏部屋の上方を覆う屋根には、採光窓が設けられていることが好ましい（請求項４記載の発明）。
【００１０】
【発明の実施の形態】
本発明の好ましい実施形態を添付図面を参照しつつ詳細に説明する。本発明の第１実施形態の階段踊場上方の小屋裏部屋構造１０は、図１（ａ）〜（ｃ）に示すように、例えば２階建の住宅建物における階段の踊場１１の上方の小屋裏空間に、住宅建物の間取りを大幅に変化させることなく、相当の広さの小屋裏部屋１２を形成するための構造として採用されたものである。
【００１１】
すなわち、本第１実施形態の小屋裏部屋構造１０は、踊場１１を挟んだ上階１３の床面から連絡階段１４を介して出入り可能な小屋裏部屋１２を形成するものであって、連絡階段１４を、踊場１１を挟んだ下階１５の床面から踊場１１に至る下階側階段１６の直上に設けて上階１３の床面と踊場１１の上方の天井床面１７とを接続し、かつ天井床面１７から張出し床面１８を踊場１１の突当り壁１９よりも外側に張り出して延設し、張出し床面１８を含む天井床面１７と屋根２０との間に小屋裏部屋１２を形成する。
【００１２】
本第１実施形態によれば、下階側階段１６と踊場１１と上階側階段２１とからなる階段スペースは、全体としてコの字形の矩形の平面形状を有し、廊下等による下階１５の床面から例えば７段の下階側階段１６を介して踊場１１に至り、例えば１段の踊場１１を介して１８０度方向転換した後、例えば７段の上階側階段２１を介して廊下等による上階１３の床面に至るように構成されている。また、このような階段スペースにおいては、ここを通過する住人の歩行が阻害されないように、頭上に一定の高さを保持するための、下階側階段１６、踊場１１、及び上階側階段２１と略平行な仮想の上方限界線２２を設けて、この上方限界線２２の下方に建築部材が配置されないような設計がなされている。従って、本第１実施形態によれば、小屋裏部屋構造１０は、上方限界線２２より上方の空間に設けられることになる。
【００１３】
上階１３の床面と踊場１１の上方の天井床面１７とを接続する連絡階段１４は、下階側階段１６の直上に設けられて上階１３の床面から小屋裏部屋１２に出入り可能にする６段の階段であって、その下面が下階側階段１６の上方の上方限界線２２に沿ってこれの下方に食い込むことなく配置されると共に、連絡階段１４の最上段は、踊場１１の下段部分１１ａの直上において、当該下段部分１１ａの上方の上方限界線２２に沿ってこれの下方に食い込むことなく設置した天井床面１７と接続しており、この接続部分には、開閉扉２３が設けられている。また、天井床面１７は、踊場１１の上段部分１１ｂの上方の上方限界線２２、及び上階側階段２１の上方の上方限界線２２を外れる位置まで外側に延設した後、踊場１１の上段部分１１ｂの直上側に折れ曲がってその床面の面積を拡大すると共に、踊場１１の突当り壁１９よりも外側に張り出して延設する張出し床面１８と連続一体化することにより、相当の広さの床面積を備えることになる。
【００１４】
そして、本第１実施形態によれば、張出し床面１８を含む天井床面１７と屋根２０との間の小屋裏空間には、張出し床面１８によって床面積が拡大した相当の広さの小屋裏部屋１２が、住宅建物の間取りを大きく変更することなく、上方限界線２２による制限を回避しつつ踊場１１の上方に容易に形成されることになる。また、本第１実施形態によれば、小屋裏部屋１２の開閉扉２３と隣接する内側壁面には、踊場１１の上段部分１１ｂの上方の上方限界線２２及び上階側階段２１の上方の上方限界線２２を避けた高さ位置に収容棚２４が設けられ、小屋裏空間のさらなる有効利用が図られている。さらに、小屋裏部屋１２の外側に張り出した外側壁面２５には、開閉可能な窓２６が設けられていて、小屋裏部屋１２への採光や通風を容易に行うことができるようになっている。
【００１５】
さらに、本第１実施形態によれば、張出し床面１８は、住宅建物の外壁２８よりも外側に張り出すオーバーハング部として設けられていることにより、住宅建物の構造に大きな変化を与えることなく設置することができると共に、張出し床面１８を、住宅建物の屋根２０の庇２７の出の範囲内において、突当り壁１９よりも外側に張り出して設けることにより、住宅建物の構造に変化を与えるのをさらに効果的に回避することが可能になる。
【００１６】
図２は、本発明の第２実施形態に係る階段踊場上方の小屋裏部屋構造３０を示すものである。本第２実施形態の小屋裏部屋構造３０によれば、上記第１実施形態の小屋裏部屋構造１０と略同様の、張出し床面１８によって床面積が拡大された相当の広さの小屋裏部屋１２を備えた構成に加えて、張出し床面１８の下方には、踊場１１の突当り壁１９よりも外側に張り出して踊場物入れ３１が設けられている。また、小屋裏部屋１２の上方を覆う屋根２０には、第１採光窓３２が設けられている。さらに、小屋裏部屋１２の後方の、下階側階段１６及び上階側階段２１の直上に位置する屋根２０には、第２採光窓３３が設けられている。
【００１７】
本第２実施形態の小屋裏部屋構造３０によれば、踊場物入れ３１が設けられていることにより、住宅建物の外観に大きな変化を与えることなく、階段スペースをさらに有効に利用することができると共に、小屋裏部屋１２の上方を覆う屋根２０に第１採光窓３２を設けたことにより、小屋裏部屋１２に効率良く採光することができ、特に小屋裏部屋１２を衣類乾燥室等として用いる場合に有効である。また、屋根２０に第２採光窓３３を設けたことにより、当該第２採光窓３３から下階側階段１６及び上階側階段２１に光を取り込むことができ、小屋裏部屋１２を設けたことによって階段スペースに採光しにくくなるのを効果的に回避することが可能になる。
【００１８】
図３（ａ）〜（ｄ）は、本発明の第３実施形態に係る階段踊場上方の小屋裏部屋構造４０を示すものである。本第３実施形態の小屋裏部屋構造４０によれば、踊場１１の突当り壁１９よりも外側に張り出して延設する張出し床面４１は、住宅建物の外壁２８からのオーバーハング部として設けられたものではなく、階段スペースを挟んだ両側の側壁４２により支持されて設けられたものである。すなわち、本第３実施形態によれば、下階側階段１６と踊場１１と上階側階段２１とからなる階段スペースを住宅建物の屋内側に移動した間取りとしたことにより、踊場１１の突当り壁１９は、住宅建物の外壁２８よりも内側に食い込んで配置される。そして、張出し床面４１は、突当り壁１９が食い込んだ部分の両側の側壁４２から両端部分を支持されて強固な安定した構造として設けられると共に、小屋裏部屋１２の外側壁面２５は、住宅建物の外壁２８よりも外側に張り出すことなくこれと略面一に設けられることになる。
【００１９】
また、本第３実施形態によれば、小屋裏部屋１２の外側壁面２５には、開閉可能な窓２６が設けられていると共に、小屋裏部屋１２の上方を覆う屋根２０には、第１採光窓３２が設けられ、小屋裏部屋１２の後方の下階側階段１６及び上階側階段２１の直上に位置する屋根２０には、第２採光窓３３が設けられている。さらに、本第３実施形態によれば、小屋裏部屋１２の開閉扉２３と隣接する内側壁面には収容棚２４が設けられていると共に、張出し床面１８の下方には、踊場１１の突当り壁１９よりも外側に張り出して、踊場物入れ３１が設けられている。
【００２０】
そして、本第３実施形態の小屋裏部屋構造４０によっても、上記第１実施形態の小屋裏部屋構造１０、或いは第２実施形態の小屋裏部屋構造３０と略同様の作用効果を奏することになる。
【００２１】
なお、本発明は上記実施形態に限定されることなく種々の変更が可能である。例えば、張出し床面は、建物の屋根の庇の出の範囲内において設ける必要は必ずしもなく、また踊場物入れや採光窓を設ける必要は必ずしもない。さらに、本発明の階段踊場上方の小屋裏部屋構造は、２階建の住宅建物に限定されることなくその他の建物に設けることもできる。そして、小屋裏部屋構造によって得られた小屋裏部屋は、衣類乾燥室の他、その他の種々の用途のためのスペースとして用いることができる。
【００２２】
【発明の効果】
以上詳細に説明したように、本発明の階段踊場上方の小屋裏部屋構造によれば、建物の間取りや外観や構造に大きな変化を与えることなく、上方限界線による制限を回避しつつ、踊場を介して下階側階段と上階側階段とが１８０度方向転換する折返し階段の階段スペースの余った空間を有効に利用して、踊場の上方に相当の広さの小屋裏部屋を容易に形成することができる。
【図面の簡単な説明】
【図１】（ａ）は、本発明の第１実施形態に係る階段踊場上方の小屋裏部屋構造の構成を説明する略示断面図、（ｂ）は（ａ）のＡ−Ａに沿った断面図、（ｃ）は（ａ）のＢ−Ｂに沿った断面図である。
【図２】本発明の第２実施形態に係る階段踊場上方の小屋裏部屋構造の構成を説明する略示断面図である。
【図３】（ａ）は、本発明の第３実施形態に係る階段踊場上方の小屋裏部屋構造の構成を説明する略示断面図、（ｂ）は（ａ）のＣ−Ｃに沿った断面図、（ｃ）は（ａ）のＤ−Ｄに沿った断面図、（ｄ）は（ａ）のＥ−Ｅに沿った断面図である。
【図４】（ａ）及び（ｂ）は、階段スペースの上方の空間を利用した従来の階段の構成を説明する略示断面図である。
【符号の説明】
１０，３０，４０  階段踊場上方の小屋裏部屋構造
１１  階段の踊場
１２  小屋裏部屋
１３  上階
１４  連絡階段
１５  下階
１６  下階側階段
１７  天井床面
１８，４１  張出し床面
１９  突当り壁
２０  屋根
２１  上階側階段
２２  上方限界線
２３  開閉扉
２４  収容棚
２５  小屋裏部屋の外側壁面
２６  窓
２７  庇
２８  住宅建物の外壁
３１  踊場物入れ
３２  第１採光窓
３３  第２採光窓
４２  側壁
【図１】
0004801846.tif 000002
【図２】
0004801846.tif 000003
【図３】
0004801846.tif 000004
【図４】
0004801846.tif 000005